(57)【要約】【課題】  ＬＡＮ／インターネットを介してブラウザ機能を有するＭＦＰデバイスとＷｅｂストレージサーバが接続された環境下において、ＭＦＰデバイスに特別なアプリケーションをインストールすることなく、ブラウザに表示されるＨＴＭＬを介してスキャンジョブを実行させ、スキャン文書の格納場所を指定し、Ｗｅｂストレージサーバに送信する。【解決手段】  ＭＦＰデバイスにブラウザを表示する手段と、スキャン文書をＷｅｂストレージサーバに格納する場所を指定する手段と、ＭＦＰデバイスのスキャナ装置の情報をＷｅｂストレージサーバに通知する手段と、ＭＦＰデバイスのスキャナ装置の情報に応じてスキャンジョブとスキャン設定画面を形成する手段と、ユーザが設定した内容もしくは選択したスキャンジョブに応じてスキャンを行いＷｅｂストレージサーバに送信する手段とを具備する。【選択図】  図１
2007116266.tif 000002
【特許請求の範囲】
【請求項１】
ブラウザ機能を有するＭＦＰデバイス１０と、Webストレージサーバ２０と、Webストレージサーバ20と連携し、何らかのサービスを提供することができるオプションサービス30がLAN／インターネットを介して接続された環境下において、MFPデバイスから文書登録処理を開始することをWebストレージサーバに通知する手段と、ＭＦＰデバイスにブラウザを表示する手段と、スキャン文書をＷｅｂストレージサーバに格納する場所を指定する手段を備え、前記通知手段は、スキャン設定画面の表示モードをスキャン機能設定モードで指定する手段を備えると共に、
ＭＦＰデバイスのスキャナ装置の情報をＷｅｂストレージサーバに通知する手段と、WebストレージサーバにおいてＭＦＰデバイスのスキャナ装置の情報に応じて、表示モードがスキャナ機能選択モードの時には、スキャン機能設定画面を形成する手段を備え、更に、MFPデバイスのブラウザがWeｂスト-レジサービスが作成したスキャナ機能設定画面をブラウザ上に表示し、ブラウザに表示されたスキャナ機能設定画面でユーザが設定した内容は、設定内容としてWebストレージサービスに通知され、Webストレージサービスは、スキャンジョブ作成手段として、設定情報に対応したスキャンジョブ（MFPデバイスのスキャナ装置を実行するためのコマンドセットがMFPデバイスで処理可能な形式で構成されるオブジェクト）に展開し、スキャンジョブをMFPデバイス内のスキャナ装置に投入する手段を備え、そのスキャンジョブに応じてMFPデバイスはスキャンを行い、スキャン文書をＷｅｂストレージサーバに送信することを特徴とする文書登録システム。
【請求項２】
請求項１の文書登録システムにおいて、更にスキャン設定画面の表示モードにスキャンジョブ選択モードを備え、スキャン処理開始の通知手段においてスキャン設定画面の表示モードがスキャンジョブ選択モードで指定された場合、ＭＦＰデバイスのスキャナ装置の情報をＷｅｂストレージサーバに通知する手段の実行後、Webストレージサービス側で事前にスキャン装置の情報からスキャナ装置の能力を解析し実行可能なスキャンジョブを作成し一時記憶する第2のスキャンジョブ作成手段を備えると共に、作成されたスキャンジョブを選択する形式のスキャンジョブ選択モードの画面構成によってスキャン設定画面が形成され、スキャン設定画面においてユーザによって選択されたスキャンジョブをWebストレージサーバに通知し、WebストレージサーバからMFPデバイスのスキャナ装置にそのスキャンジョブを投入することで、MFPデバイスはスキャン実行し、スキャン文書をWebストレージサーバに送信することを特徴とする文書登録システム。
【発明の詳細な説明】
【技術分野】
【０００１】
本発明は、文書登録システムに関し、特にＬＡＮ／インターネットを介して接続するＷｅｂストレージサーバにＭＦＰデバイスで読み取った文書を直接格納することができる文書登録システムに関する。
【背景技術】
【０００２】
近年、オフィスに溢れるドキュメント情報を整理し、データベースとして蓄積し、検索を容易にしようとするドキュメント・マネージメント・システム（以下、ＤＭＳと記述する。）と言われるサービス概念が話題に上がる機会が増えてきている。
【０００３】
これは、昨今迄は紙媒体での情報（ドキュメント）のやり取りが行われてきたが、これらのドキュメントは溜まる一方であり、いざ必要となる情報を探す場合に、多くのドキュメントの中から探す作業は大変煩雑であり、且つ多くの人間の間で、そのドキュメントを共有化することは難しいことから、このようなサービス概念が考えられるようになった。
【０００４】
従来、このようなＤＭＳの一例として、様々なファイルサーバやドキュメント管理（データベース）サーバ等の提案が行われてきており、スキャナデバイスやMFPデバイスとの連携や融合性を考慮したコンピュータアプリケーションを各クライアントＰＣ（パーソナルコンピュータ）にインストールし、実行していた。
【０００５】
また、クライアントＰＣをユーザ環境に用意することの手間、煩雑さを軽減するため、近年ではＭＦＰデバイス自体が各種プロトコルをサポートし、直接ドキュメント管理サーバとデータのやり取りを行うことも可能となってきた。
【０００６】
こういった背景の中、MFPデバイスのコンピュータ資源（CPU、記憶容量等）の制限から、ドキュメント管理サーバ側が作成したスキャナ処理の表示画面をMFPデバイスのブラウザUIに表示させることで、MFPデバイスのコンピュータ資源を節約した上で、スキャンおよび文書管理サーバへのスキャン文書の送信を行うシステムの提案がなされていた。
【０００７】
又、別の従来例としては、特許文献１をあげることが出来る。
【特許文献１】特開2001-136355号公報
【発明の開示】
【発明が解決しようとする課題】
【０００８】
しかしながら、従来例のシステムでは、UI表示される表示画面は、スキャナ機能を選択し、実行する機能を備えるものなので、選択されたスキャナ機能からスキャナジョブを作成する処理にかかるデバイス負荷が課題としてあり、また、表示画面がスキャナ機能の設定と実行画面であるため、操作性の観点で課題があった。
【０００９】
本発明は、上述した問題点を解消するためになされたもので、ＭＦＰデバイスに特別なアプリケーションをインストールすることなく、ブラウザに表示されるＨＴＭＬを介してスキャナ装置の読み取り設定を行い、スキャン文書の格納場所を指定し、Ｗｅｂストレージサーバに送信することを目的とする。また、ブラウザ表示されるHTMLについても従来技術よりユーザのための操作性を向上する目的を持つ。
【課題を解決するための手段】
【００１０】
本発明に係る第一の発明は、ブラウザ機能を有するＭＦＰデバイス１０と、Webストレージサーバ２０と、Webストレージサーバ20と連携し、何らかのサービスを提供することができるオプションサービス30がLAN／インターネットを介して接続された環境下において、ＭＦＰデバイスにブラウザを表示する手段と、スキャン文書をＷｅｂストレージサーバに格納する場所を指定する手段と、ＭＦＰデバイスのスキャナ装置の情報をＷｅｂストレージサーバに通知する手段と、ＭＦＰデバイスのスキャナ装置の情報と表示モードに応じてスキャン設定画面を形成する手段と、Webストレージサーバでスキャナ情報に応じたスキャンジョブを作成するスキャンジョブ作成手段と、スキャンジョブをWebストレージサーバからMFPデバイスに投入する手段と、投入されたスキャンジョブによってMFPデバイスのスキャナ装置がスキャンを実行する手段と、スキャン文書をＷｅｂストレージサーバに送信する手段とを有するものである。
【発明の効果】
【００１１】
本実施形態に係る文書登録システムによれば、ＭＦＰデバイスに存在する表示装置に表示されるブラウザを介して操作を行うため、デバイス側に特別なプログラムをインストールする必要がない。何らかのバージョンアップがあっても、サーバサイドのみのアップデートのみで良い。また、ＨＴＭＬを用いてユーザインターフェースを提供するため、より柔軟なUI(HTML)を作成ユーザに提供できる。また、スキャンジョブ作成といった機器内で行われていた処理をＷｅｂストレージサービス側で処理するため、ＭＦＰデバイスのコンピュータ資源の使用率を下げる効果があった。
【発明を実施するための最良の形態】
【００１２】
以下、本発明の各実施の形態を図面に基づき説明する。
【００１３】
（第１実施の形態）
まず、本発明の第1実施の形態を図 1乃至図 7に基づき説明する。
【００１４】
図 1は、本実施の形態に係る文書登録システムのシステム構成図であり、ブラウザ機能を有するＭＦＰデバイス１０と、Webストレージサーバ２０と、Webストレージサーバ20と連携し、何らかのサービスを提供することができるオプションサービス30がLANを介して接続されている。本実施形態においては、各々がLANを介して接続されている場合について述べるが、インターネットを介して接続されていても構わない。また、該オプションサービス30が一つのみ存在する場合について述べるが、複数存在しても構わない。
【００１５】
図 2は、本実施の形態に係る文書登録システムを実施するためのＭＦＰデバイス１０の一例を示すブロック構成図である。図中のＣＰＵ１０１は、内部バス１０８を介して後述する各機能／装置を接続し、該ＭＦＰデバイス１０を制御するものである。表示装置１０２は、タッチパネルなどのブラウザを表示するための装置である。ユーザは、ユーザ所望の動作を行うための操作等を該表示装置１０２に表示されるブラウザを介して行う。スキャナ装置１０３は、オートドキュメントフィーダ機能など機能を有する文書を読み込むための装置であり、スキャナ情報管理部１０４は、該スキャナ装置１０３の機能／状態の情報を管理／保持する。
【００１６】
更に、メモリ１０５は、該ＣＰＵ１０１が該ＭＦＰデバイス１０を制御するために実行する各種命令（アプリケーションプログラム）を記憶し、大容量記憶装置１０６には、該表示装置１０２において表示するブラウザなどのプログラムや、概スキャナ装置１０３で読み取ったイメージを保存する。また、ネットワークインターフェース１０７は、該ＣＰＵ１０１に従いＬＡＮを介して信号の送受信を行う。
【００１７】
以下、本実施の形態に係る文書登録システムの処理の流れの概要について、図 1乃至図 3を用いて説明する。
【００１８】
図 3は、本実施の形態に係る文書登録システムの処理動作の流れを示すフローチャートであり、該表示装置１０２に表示されるブラウザを介して、ユーザが文書をスキャンして得られたイメージ文書をＷｅｂストレージサーバ２０に送信／登録するまでの処理動作の流れを示している。
【００１９】
まず、ステップＳ１０１において、ユーザは該ＭＦＰデバイス１０にある該表示装置１０２上に表示されるブラウザを用いて、該Ｗｅｂストレージサーバ２０のＵＲＬを入力し、該Ｗｅｂストレージサーバ２０のトップページを表示する。このステップS１０１では、トップページから本発明の特徴であるスキャン処理を開始するためのユーザ選択や処理の開始命令がなされる。スキャン処理を開始する際には、スキャン設定画面の表示モードを選択する画面を更に提示し、ユーザのモード選択を促す。スキャン設定画面の表示モードには2種類あり、一つは、スキャナ機能設定モード、もう一つは、スキャンジョブ選択モードである。選択されたモードをWebストレージサーバに通知することによって、本発明の特徴であるスキャン処理が実行される。
【００２０】
次に、ステップＳ１０２において、該ブラウザ上に表示されたトップページより、該ＭＦＰデバイス１０にある該スキャナ装置１０３により読み取られらイメージ文書を、該Ｗｅｂストレージサーバ２０に登録するための操作を行うユーザインターフェース「スキャン設定画面ページ」を表示する。
【００２１】
次に、ステップＳ１０３において、概Ｗｅｂストレージサーバ２０よりフォルダ情報を取得し、該ブラウザ上に提示し、スキャン文書を登録する場所を選択する。
【００２２】
次に、ステップＳ１０４において、該ブラウザ上に表示されるスキャン設定画面より所望の設定を選択する。この場合、表示モードがスキャン機能選択モードの場合には、スキャナ機能の設定コントロールで構成されるUIにおいて機能が選択される。また、表示モードがスキャンジョブ選択モードの場合には、スキャンジョブ選択機能コントロールで構成されるUIでスキャンジョブが選択される。次に、概スキャナ装置１０３に置いた文書原稿の読み取りを実行する。スキャン実行処理については、図５で詳細に説明する。
【００２３】
次に、ステップＳ１０５において、前記Ｓ１０４において読み取ったスキャン文書を該Ｗｅｂストレージサーバ２０に送信し、該Ｗｅｂストレージサーバ２０は前記Ｓ１０３において指定したフォルダに保存する。
【００２４】
以下、各処理について、図 1乃至図 7を用いて具体的に説明する。
【００２５】
［Webストレージサーバのトップページを取得］
ステップＳ１０１において、ユーザは、前記ブラウザ表示可能なＭＦＰデバイス１０（以下、ＭＦＰデバイスとする）にある前記表示装置１０２を用いて、ブラウザを起動する。ブラウザアプリケーションは、前記大容量記憶装置１０６に保存されており、前記ＣＰＵ１０１は前記メモリ１０５にアプリケーションを実行可能な形に展開し、該表示装置１０２にブラウザを表示する。このステップＳ１０１では、トップページから本発明の特徴であるスキャン処理を開始するためのユーザ選択や処理の開始命令がなされる。スキャン処理を開始する際には、スキャン設定画面の表示モードを選択する画面を更に提示し、ユーザのモード選択を促すことは前記した通りである。
【００２６】
次に、ユーザは、ブラウザに前記Ｗｅｂストレージサーバ２０のトップページのＵＲＬを入力すると、該ＣＰＵ１０１は前記ネットワークインターフェース１０７を介して、該Ｗｅｂストレージサーバ２０とコネクションを確立し、ＨＴＴＰリクエスト（ＧＥＴ）を送信する。なお、この際、ユーザはブラウザにＵＲＬを入力して該Ｗｅｂストレージサーバ２０にアクセスするだけでなく、概Ｗｅｂストレージサーバ２０のトップページへのショートカットをあらかじめ作成しておき、該ショートカットを実行することで該Ｗｅｂストレージサーバ２０にアクセスしても良い。
【００２７】
次に、概Ｗｅｂストレージサーバ２０は、該ＨＴＴＰリクエストに対して該Ｗｅｂストレージサーバ２０のトップページ（ＨＴＭＬ）をボディ部に書き込み、ＨＴＴＰレスポンスを該ネットワークインターフェース１０７に送信する。
【００２８】
次に、概ＣＰＵ１０１により該メモリ１０５に展開された該ＨＴＴＰレスポンスのボディ部（ＨＴＭＬ）を抽出し、該表示装置１０２上のブラウザに表示する。
【００２９】
なお、ブラウザを起動した際に、概大容量記憶装置１０６に保存されたホームとなるページを表示しても良い。この際、該ホームとなるページには、あらかじめ該Ｗｅｂストレージサーバ２０のトップページとなるＵＲＬが関連付けられたボタン等を設けておいても良い。但し、この場合、該Ｗｅｂストレージサーバ２０のホスト名が変更されるたびに、ボタン押下時にアクセスする先となるＵＲＬを設定しなおす必要がある。また、該ＭＦＰデバイス１０に固定のページを保持している場合、該Ｗｅｂストレージサーバ２０の機能の追加／変更／削除などが発生した際に、該ＭＦＰデバイス１０のホームのページを書き換える（ファームのバージョンアップ等）必要が発生するなど、システムとしての柔軟性に欠けるため、該ホームとなるページは、該Ｗｅｂストレージサーバ２０より取得した方が良い。
【００３０】
［スキャン設定画面ページを取得］
ステップＳ１０２において、ユーザは、前記ステップＳ１０１により該ブラウザで表示された該ホームとなるページより、スキャン文書を登録するためのスキャン設定画面ページを表示するためのボタンを押下する。該ＣＰＵ１０１は前記ネットワークインターフェース１０７を介して、該Ｗｅｂストレージサーバ２０とコネクションを確立し、ＨＴＴＰリクエスト（ＧＥＴ）を送信する。
【００３１】
次に、概Ｗｅｂストレージサーバ２０は、該ＨＴＴＰリクエストに対して該Ｗｅｂストレージサーバ２０のフォルダ構成を示すツリービュー（ＨＴＭＬ）をボディ部に書き込み、ＨＴＴＰレスポンスを該ネットワークインターフェース１０７に送信する。
【００３２】
次に、概ＣＰＵ１０１により該メモリ１０５に展開された該ＨＴＴＰレスポンスのボディ部（ＨＴＭＬ）を抽出し、該表示装置１０２上のブラウザに表示する。
【００３３】
［格納場所を選択］
ステップＳ１０３において、ユーザは、前記ステップＳ１０２により該ブラウザで表示された該Ｗｅｂストレージサーバ２０のフォルダ構成を示すツリービューを用いて、原稿を読み取ったスキャン文書を登録する格納場所を指定する。図 4は、該Ｗｅｂストレージサーバ２０の格納場所を指定するまでの処理の流れを示すフローチャートである。以下、図 4を用いて説明する。
【００３４】
まず、ユーザは、ステップＳ１１０１において、該ブラウザで表示された該Ｗｅｂストレージサーバ２０のフォルダ構成のツリービューよりフォルダを選択する。
【００３５】
次に、ステップＳ１１０２において、該Ｓ１１０１によりフォルダを選択した状態で、ユーザが展開ボタンを押下したか否かを確認する（選択したフォルダ以下の情報を取得するか否か）。
【００３６】
次に、ステップＳ１１０３において、該Ｓ１１０２により展開ボタンを押下した場合、該ＣＰＵ１０１は前記ネットワークインターフェース１０７を介して、該Ｗｅｂストレージサーバ２０とコネクションを確立し、該選択したフォルダ以下の情報を取得するためのＨＴＴＰリクエスト（ＧＥＴ）を送信する。
【００３７】
次に、ステップＳ１１０４において、該Ｓ１１０３により送信した該ＨＴＴＰリクエストに対して、該Ｗｅｂストレージサーバ２０の該Ｓ１１０１において選択したフォルダ以下のフォルダ構成を示すツリービュー（ＨＴＭＬ）をボディ部に書き込み、ＨＴＴＰレスポンスを該ネットワークインターフェース１０７に送信する。次に、概ＣＰＵ１０１により該メモリ１０５に展開された該ＨＴＴＰレスポンスのボディ部（ＨＴＭＬ）を抽出し、該表示装置１０２上のブラウザに表示する。
【００３８】
次に、ステップＳ１１０５において、該Ｓ１１０２によりフォルダを選択した状態で、ユーザが選択ボタンを押下したか否かを確認する（スキャン文書を格納する場所を決定）。選択ボタンが押下された場合、該ＣＰＵ１０１は、指定した格納場所を該メモリＳ１０５に保存する。
【００３９】
［スキャン設定を選択し、実行］
ステップＳ１０４において、ユーザは、該ＭＦＰデバイス１０における該スキャナ装置１０３でのスキャン設定画面上の選択項目を指定し、スキャンを実行する。図 5は、ユーザが、設定を指定し、スキャンを実行するまでの処理の流れを示すフローチャートである。また、図 6は、図 5におけるステップＳ１２０３の該Ｗｅｂストレージサーバ２０においてスキャン設定画面（ＨＴＭＬ）を作成する処理の流れを示すフローチャートである。以下、図 3、図 5及び図 6を用いて詳細に説明する。
【００４０】
まず、ステップＳ１２０１において、ユーザが該Ｓ１０３において該ブラウザで表示されたＨＴＭＬ上で該Ｗｅｂストレージサーバ２０にスキャン文書を保存するフォルダを選択した際、該ＣＰＵ１０１は、該スキャナ情報１０４に保存された該スキャナ装置１０３の情報（能力、選択可能な読み取り条件等）を取得し、該メモリ１０５に一時保存する。
【００４１】
次に、ステップＳ１２０２において、スキャン設定画面を取得するため、該Ｓ１２０１において取得した該スキャナ１０３の情報、及び該Ｓ１０３において取得した該Ｗｅｂストレージサーバ２０にスキャン文書を保存する格納場所を該Ｗｅｂストレージサーバ２０にＨＴＴＰリクエスト（ＰＯＳＴ）を送信する。該ＣＰＵ１０１は該ネットワークインターフェース１０７を介して、該Ｗｅｂストレージサーバ２０とコネクションを確立し、該ＨＴＴＰリクエスト（ＰＯＳＴ）を送信する。
【００４２】
次に、ステップＳ１２０３の該Ｗｅｂストレージサーバ２０での動作に関して、図 6を用いて説明する。
【００４３】
まず、ステップＳ１２１１において、該Ｗｅｂストレージサーバ２０は、該Ｓ１２０２で該ＭＦＰデバイス１０が送信したＨＴＴＰリクエストを受信し、該スキャナ１０３の情報と該ユーザが指定したスキャン文書の格納場所を取得する。
【００４４】
次に、ステップＳ１２１２において、該Ｗｅｂストレージサーバ２０は、利用可能な各種Ｗｅｂサービスを検索する。本実施形態においては、図 1におけるオプションサービス３０がＷｅｂサービスとしてイメージデータに対するＯＣＲ処理機能等を公開している例を挙げる。Ｗｅｂサービスの検索方式に関しては、公知の技術であるＵＤＤＩにおいて該オプションサービス３０が登録されていることを前提としても良いし、あらかじめユーザが該Ｗｅｂストレージサーバ２０に、図示しないユーザインターフェースを用いて該オプションサービス３０に関する情報を登録しておいても構わない。本発明の構成では、このようにオプションサービスをシステム構成に取り入れ、かつ、その機能を指定する仕組みも容易に表示画面等に構成することが可能であることを特徴とする。
【００４５】
ステップＳ１２１３で、スキャン処理開始しにトップページで指定されWebストレージサーバに通知されている表示モードを判断する。表示モードがスキャン設定画面モードの場合、処理はステップS１２１３１に進む。
【００４６】
ステップＳ１２１３１では、該Ｗｅｂストレージサーバ２０は、該Ｓ１２１１より取得した該スキャナ１０３の情報及び該ユーザが指定したスキャン文書の格納場所、かつ、該Ｓ１２１２より取得した利用可能なＷｅｂサービスの情報を解析する。次にステップS１２１３２において解析情報を元に、スキャナ機能選択のための表示画面のコントロールを構成し、該Ｓ１２０２におけるＨＴＴＰリクエストへの応答としてボディ部に書き込むＨＴＭＬを作成する。該スキャナ１０３の情報からは、読み取りの解像度、モノクロ／カラー、読み取りモードなどを選択可能なコントロールとしてＨＴＭＬ内に埋め込み、該ユーザが指定したスキャン文書の格納場所からは、確認用として該格納場所の文字列をＨＴＭＬ内に埋め込み（もし、ユーザが該格納場所を変更したい場合には、Ｓ１０３において該ＭＦＰデバイスの該ブラウザに表示した該Ｗｅｂストレージサーバ２０のフォルダ構成を示すツリービューに戻るコントロールを埋め込んでも良い）、利用可能なＷｅｂサービスの情報からも、ユーザが選択可能なコントロールとしてＨＴＭＬ内に埋め込んでも良い。この際、ユーザが該コントロールを用いて選択した後、スキャン実行ボタンを押下した際に実行されるプログラムを同じくＨＴＭＬ内に埋め込む。
【００４７】
ステップＳ１２１３での判断において、表示モードがスキャンジョブ選択モードの場合処理はステップS１２１３３に進む。ステップS１２１３３では、まず、S１２１１で取得したスキャナ情報をもとにスキャンジョブを作成し、Webストレージサーバの記憶領域に一時保存する。スキャンジョブの例として、「解像度：400dpi/モード：カラー」といったスキャン処理に必要なコマンドセットをスキャナ装置に投入可能なオブジェクトとして形成する。スキャナ装置に投入可能なオブジェクトとは、スキャナ処理がそのオブジェクトを受け取り、プログラム処理できる形態であればある程度どのような形態（メッセージ、テキスト、メモリオブジェクト）であっても本発明が実施可能であることは言うまでもない。S12133では、スキャナ情報によるスキャンジョブの組み合わせを一通り作成する。次に、ステップS１２１３４において、S12133で作成したスキャンジョブを選択する構成でそのためのコントロールをHTMLに埋め込む。スキャナ情報から作成できるスキャンジョブの数は、スキャナ装置の能力によるため特定できないが、複数のスキャンジョブが作成でいる場合には、スキャンジョブに決まったネーミングルールでジョブ名を割り当て、そのジョブ名一覧を画面にリスト表示する構成であればよい。
【００４８】
次に、ステップＳ１２１４において、該Ｓ１２１３より作成したＨＴＭＬをレスポンスとして該ＭＦＰデバイス１０に送信する。
【００４９】
次に、ステップＳ１２０４において、該Ｓ１２０３より該Ｗｅｂストレージサーバ２０が送信したＨＴＴＰレスポンスを該ＭＦＰデバイス１０内にある該ネットワークインターフェース１０７を介して、概ＣＰＵ１０１が該メモリ１０５に該ＨＴＴＰレスポンスのボディ部（ＨＴＭＬ）を抽出し、スキャナ設定画面として該表示装置１０２上の該ブラウザに表示する。
【００５０】
次に、ステップＳ１２０５において、該Ｓ１２０４により該表示装置１０２上の該ブラウザに表示された該スキャン設定画面を用いて、画面に応じたユーザ所望の設定を行う。表示モードがスキャンジョブ選択モードの場合には、画面に提示されたスキャンジョブ（一覧）から所望のスキャンジョブを選択し、スキャン実行ボタンを押下する。また、表示モードがスキャン機能選択モードの場合には、ユーザは所望の原稿の読み取り条件（ここでは、該Ｓ１２１３における該利用可能なＷｅｂサービスに関する選択も含む）を指定し、該スキャナ装置１０３に原稿をセットし、スキャン実行ボタンを押下する。
【００５１】
次に、ステップS1206では、選択されたステップS1205で選択された内容をWebストレージサービスに通知する。次に、ステップS1207では、ステップS1205の通知を受けたWebストレージサービスがスキャンジョブをMFPデバイスに投入する。この際、表示モードがスキャンジョブ選択モードの場合には、選択内容はスキャンジョブであるため、選択された内容に従って、予めWebストレージサービスに記憶されているスキャンジョブをMFPデバイスに送信する。スキャナ機能選択モードの場合には、選択内容がスキャナ機能であるため、このステップにおいてその機能に応じたスキャンジョブを作成し、スキャナ装置へ送信する。どちらの表示モードであっても、このステップS1207では、最終的にスキャンジョブをMFPデバイスのスキャナ機器に投入する。
【００５２】
次に、ステップS1208では、投入されたスキャンジョブをスキャナ装置が実行する。
【００５３】
［スキャン文書を送信し、格納］
ステップＳ１０５において、該ＭＦＰデバイス１０における該スキャナ装置１０３で原稿の読み取り、スキャン文書を該Ｗｅｂストレージサーバ２０に格納する。図 7は、該スキャナ装置１０３で原稿を読み取り、スキャン文書を該Ｗｅｂストレージサーバ２０に格納するまでの処理の流れを示すフローチャートである。以下、図 7を用いて詳細に説明する。
【００５４】
まず、ステップＳ１３０１において、ステップS1208でMFPデバイスに投入されたスキャンジョブが実行される。該ＣＰＵ１０１は、該メモリ１０５に展開されたプログラムに従い、かつ、スキャンジョブに記録されている諸コマンドや設定を参照し、該スキャナ装置１０３を動作させる。この際、読み込んだスキャン文書を該メモリ１０５にのみ一時保存しても良いし、該大容量記憶装置１０６に保存しても構わない。
【００５５】
次に、ステップＳ１３０２において、該ＣＰＵ１０１は前記ネットワークインターフェース１０７を介して、該Ｗｅｂストレージサーバ２０とコネクションを確立し、該Ｓ１３０１により得られたスキャン文書、及び該ユーザが指定したスキャン文書の格納場所をＨＴＴＰリクエスト（ＰＯＳＴ）のボディ部に書き込み送信する。この際、該スキャン設定画面においてユーザが該オプションサービス３０の機能を利用する設定をしていた場合、該ＨＴＴＰリクエストのボディ部に、該ユーザが指定したスキャン文書の格納場所と同様に書き込む。
【００５６】
次に、ステップＳ１３０３において、該Ｗｅｂストレージサーバ２０は該Ｓ１３０２により得られたＨＴＴＰリクエストのボディ部を解析して、該ユーザが指定した格納場所に従い、かつ、ユーザが該オプションサービス３０の機能を利用する場合にはその指定に従い、該スキャン文書を保存する。
【図面の簡単な説明】
【００５７】
【図１】本発明の第１実施の形態に係る文書登録システムの構成を示すブロック図である。
【図２】本発明の第１実施の形態に係る文書登録システムにおけるＭＦＰデバイスの一例を示すブロック構成を示す図である。
【図３】本発明の第１実施の形態に係る文書登録システムにおけるユーザ操作部の処理動作の流れを示すフローチャートである。
【図４】本発明の第１実施の形態に係る文書登録システムにおけるユーザがＷｅｂストレージサーバの格納場所を指定するまでの流れを示すフローチャートである。
【図５】発明の第１実施の形態に係る文書登録システムにおけるユーザが原稿の読み取り条件を指定し、スキャンを実行するまでの処理の流れを示すフローチャートである。
【図６】本発明の第１実施の形態に係る文書登録システムにおけるＷｅｂストレージサーバ２０においてスキャン設定画面（ＨＴＭＬ）を作成するまでの流れを示す図である。
【図７】本発明の第１実施の形態に係る文書登録システムにおけるスキャナで原稿を読み取り、スキャン文書をＷｅｂストレージサーバに格納するまでの処理の流れを示すフローチャートである。
【図１】
2007116266.tif 000003
【図２】
2007116266.tif 000004
【図３】
2007116266.tif 000005
【図４】
2007116266.tif 000006
【図５】
2007116266.tif 000007
【図６】
2007116266.tif 000008
【図７】
2007116266.tif 000009